(57)【要約】      （修正有）【課題】小さな格納容量を有する第１臨時格納部と、出力端のピン数が最小化される第２臨時格納部とを備えたデータ整列部を含むプラズマディスプレイパネルの駆動装置を提供する。【解決手段】外部映像信号をプラズマディスプレイパネルの駆動に適した映像データに変換する信号処理部と、前記信号処理部によって変換された映像データを複数のサブフィールドに再構成し、１つ以上のスキャンラインに該当するコントロールデータを直列転送するデータ整列部と、前記データの直列転送を受けアドレスパルスをＸ電極に印加するＸ電極駆動部と、スキャンパルスとサステインパルスとをＹ電極に印加するＹ電極駆動部と、サステインパルスをＺ電極に印加するＺ電極駆動部と、前記データ整列部に再構成された映像データを順次読み出し、前記Ｘ電極駆動部に１つ以上のスキャンラインに該当するコントロールデータが転送されるように制御するメイン制御部と、を含む。【選択図】図５
2005157380.tif 000002
【特許請求の範囲】
【請求項１】
外部映像信号をプラズマディスプレイパネルの駆動に適した映像データに変換する信号処理部と、
前記信号処理部によって変換された映像データの階調処理のために、前記映像データを複数のサーブフィールドに再構成し、１つ以上のスキャンラインに該当するコントロールデータを直列転送するデータ整列部と、
前記データ整列部から前記１つ以上のスキャンラインに該当するコントロールデータの直列転送を受け、前記コントロールデータに該当するアドレスパルスをＸ電極に印加するＸ電極駆動部と、
アドレッシングのためのスキャンパルスと放電維持のためのサステインパルスとをＹ電極に印加するＹ電極駆動部と、
放電維持のためのサステインパルスをＺ電極に印加するＺ電極駆動部と、
前記外部映像信号によって前記データ整列部に再構成された映像データを順次読み出し、前記Ｘ電極駆動部に１つ以上のスキャンラインに該当するコントロールデータが転送されるように制御するメイン制御部と、を含むプラズマディスプレイパネルの駆動装置。
【請求項２】
前記データ整列部は、前記１つ以上のスキャンラインに該当するコントロールデータを一時格納するための統合臨時格納部を含むことを特徴とする請求項１記載のプラズマディスプレイパネルの駆動装置。
【請求項３】
前記Ｘ電極駆動部は、前記統合臨時格納部に格納された前記１つ以上のスキャンラインに該当するコントロールデータの直列転送を受ける複数のデータＩＣを含むことを特徴とする請求項２記載のプラズマディスプレイパネルの駆動装置。
【請求項４】
前記統合臨時格納部は、前記１つ以上のスキャンラインに該当するコントロールデータに該当する格納容量以上を持つことを特徴とする請求項２または３記載のプラズマディスプレイパネルの駆動装置。
【請求項５】
前記データ整列部の出力端は、前記複数のデータＩＣのうちいずれか一つを選択するための選択信号を出力するピンと、前記統合臨時格納部に格納された映像データを直列転送するためのピンと、を含むことを特徴とする請求項３記載のプラズマディスプレイパネルの駆動装置。
【請求項６】
前記データ整列部と前記Ｘ電極駆動部は、転送媒体として光ファイバを用いることを特徴とする請求項１記載のプラズマディスプレイパネルの駆動装置。
【発明の詳細な説明】
【技術分野】
【０００１】
本発明は、プラズマディスプレイパネルの駆動装置に係り、さらに詳しくは、より簡単な構造のプラズマディスプレイパネルの駆動装置に関する。
【背景技術】
【０００２】
図１は、一般的な交流面放電型プラズマディスプレイパネルの構造図である。図１に示すように一般的な交流面放電型プラズマディスプレイパネルは、１００〜２００ｕｍの間隔を置いて互いに平行に対向する透明な硝子材の前面基板１２２及び背面基板１２４を含む。この時、背面基板１２４には前面基板１２２との間隔を保持するために厚膜印刷技術を用いて隔壁１２６が平行に形成される。このような隔壁１２６間の間隔は４００ｕｍで、それぞれの隔壁１２６の幅は５０ｕｍである。
【０００３】
また、互いに隣接した隔壁１２６、１２６の間に、アルミニウムＡｌやアルミニウム合金からなるＸ電極の列Ｘｊ（ｊ＝１，２，…，ｍ）が、アドレッシング（addressing）機能を行うために１００ｎｍの厚さで隔壁に平行に形成される。また、ＲＧＢ蛍光体膜がそれぞれのＸ電極を１０〜３０ｕｍ厚さに覆うことにより発光層１３６が形成される。
【０００４】
一方、背面基板１２４と対向する前面基板１２２の面にはＹ電極及びＺ電極の行電極Ｙｉ、Ｚｉ＝１，２，…，ｎがＸ電極と垂直方向に形成される。このようなＹ電極及びＺ電極は、ＩＴＯや酸化錫（ＳｎＯ）などの蒸着によって略数百ｎｍの厚さに互いに平行に延長し、互いに隣接する行電極ＹｉとＺｉは対をなして行電極対Ｙｉ、Ｚｉを構成する。
【０００５】
また、それぞれの行電極Ｙｉ、Ｚｉには、行電極Ｙｉ、Ｚｉの幅より狭い幅の金属製のバス電極αｉ、βｉが行電極Ｙｉ、Ｚｉに密着形成される。このバス電極αｉ、βｉは補助電極であって、導電性に劣る行電極Ｙｉ、Ｚｉを補完するためのものである。
【０００６】
このような行電極Ｙｉ、Ｚｉを保護するために誘電体層１３０が約２０〜３０ｕｍの厚さに形成される。この誘電体層１３０に当接して酸化マグネシウムＭｇＯからなるＭｇＯ層１３２が略数百ｎｍの厚さに積層される。
【０００７】
各電極Ｘj、Ｙｉ、Ｚｉ、αｉ、βｉ、誘電体層１３０及び発光層１３６が形成された後、前面基板１２２及び背面基板１２４は貼り合わせられ、放電空間１２８の排気が行われた後、ベーキングによってＭｇＯ層１３２の表面の水分が除去される。次いで、放電空間１２８に、３〜７％のＮｅＸeガスを含む不活性混合ガスが４００〜６００ｔｏｒｒ注入される。
【０００８】
このようなＹｉ、Ｚｉ電極と交差するＸｊ電極との交点を中心に単位発光領域が１画素セルＰ（ｉ、ｊ）として正義される。このような画素セルＰ（ｉ、ｊ）は、Ｘj電極とＹｉ電極との間のアドレッシング放電によって壁電圧が形成されると、Ｙｉ電極とＺｉ電極との間にサステインパルスが印加されて放電が維持されることにより蛍光体１３６が励起されて発光し、Ｘj、Ｙｉ及びＺｉ電極間の電圧印加によって画素セルＰ（ｉ、ｊ）の発光放電の選択、維持及び消去によって発光が制御される。
【０００９】
図２は、一般的なプラズマディスプレイパネルの駆動装置のブロック構成図である。図２に示すように、信号処理部２１０は、外部から入力された映像信号をプラズマディスプレイパネルの駆動に適した映像データに変換する。
【００１０】
データ整列部２２０は、信号処理部２１０によって変換された映像データの階調（gray scale）処理のために、１ＴＶフィールドの映像データを複数のサーブフィールドsubfield）に再構成する。
【００１１】
Ｘ電極駆動部２３０とＹ電極駆動部２４０は、プラズマディスプレイパネルの放電セルに壁電圧を形成するためのアドレスパルスとスキャンパルスをそれぞれＸ電極とＹ電極に印加し、Ｙ電極駆動部２４０とＺ電極駆動部２５０は、壁電圧が形成された放電セルの放電を維持するためのサステインパルスを交互にそれぞれＹ電極とＺ電極に印加する。
【００１２】
メイン制御部２６０は、外部映像信号によってデータ整列部２２０に再整列された映像データが順次読み出され、Ｘ電極駆動部２３０に１スキャンライン分ずつ供給されるように制御し、ロジッグ制御パルスを高圧高圧駆動回路部２７０に印加する。
【００１３】
高圧駆動回路部２７０は、メイン制御部２６０からロジッグ制御パルスの印加を受け、このロジック制御パルスをＸ電極、Ｙ電極及びＺ電極駆動部２３０、２４０、２５０に印加する。
【００１４】
図３は、従来のデータ整列部とＸ電極駆動部との関係を示す図であり、図４は、Ｘ電極駆動部のデータＩＣを駆動するための波形を示す図である。
【００１５】
図３に示すように、データ整列部２２０によって複数のサーブフィールドに再構成されて格納された１フレーム分の映像データを処理するために、Ｘ電極駆動部２３０はデータＩＣ（Integrated Circuit）３１０を含む。
【００１６】
このようなデータＩＣ３１０が駆動されるためには、データＩＣ３１０がメイン制御部２６０から１スキャンライン（scan line）に該当するコントロールデータを受ける。
【００１７】
通常１つのデータＩＣ３１０は、６個の入力ピン（input pin）と９６個の出力ピン（
output pin）とを持っているが、この６個の入力ピンを介してメイン制御部２６０からコントロールデータの入力を受ける。この時、データＩＣ３１０が６個の入力で９６個の出力を得るためには、１スキャンライン当たり１６個のアドレスクロック（address clock）が必要とされる。
【００１８】
したがって、従来のデータ整列部２２０は、１スキャンラインのコントロールデータを順次格納するための、シフトレジスタ（shift register）のような第１臨時格納部２２１と、第１臨時格納部２２１に格納された１スキャンラインのコントロールデータを定められた時間に出すための、ラッチ（latch）のような第２臨時格納部２２３と、を含む。
【００１９】
この時、第２臨時格納部２２３の出力端のピン数はデータＩＣ３１０の入力ピン数と密接な関連がある。すなわち、第２臨時格納部２２３から定められた時間に１スキャンラインのコントロールデータの入力を受けるデータＩＣ３１０の入力端は、６個のピン（pin）で構成され、第２臨時格納部２２３からデータＩＣ３１０へのデータ転送は並列に行われるので、第２臨時格納部２２３の出力ピン数はデータＩＣ３１０の個数の６倍となる。
【００２０】
例えば、ＸＧＡ（１３６６×７６８）の場合、１スキャンラインに対する総ピクセル（pixel）の数は４０９８（＝１３６６×３ＲＧＢ）であり、データＩＣ３１０は通常２２個を必要とするので、第２臨時格納部２２３の出力端のピン数は１３２（２２×６）である。
【００２１】
このように１スキャンラインのコントロールデータが並列に転送される場合、第２臨時格納部２２３の出力端のピン数は格段に多くなるうえ、第１臨時格納部２２１が１スキャンラインのコントロールデータをすべて格納する必要があるので、第１臨時格納部２２１の必須格納容量もｎ×６ｂｉｔ（ｎはデータＩＣの個数）に大きくなるという問題点が発生する。
【００２２】
この時、６ｂｉｔは６個の入力ピンを有する一つのデータＩＣ３１０を駆動するために入力されるコントロールデータの量である。
【発明の開示】
【発明が解決しようとする課題】
【００２３】
本発明は、かかる従来の問題点を解決するためのもので、その目的は、従来より少ない格納容量を有する第１臨時格納部と、出力端のピン数が最小化される第２臨時格納部とを備えたデータ整列部を含むプラズマディスプレイパネルの駆動装置を提供することにある。
【課題を解決するための手段】
【００２４】
本発明の実施形態に係るプラズマディスプレイパネルの駆動装置は、外部映像信号をプラズマディスプレイパネルの駆動に適した映像データに変換する信号処理部と、前記信号処理部によって変換された映像データの階調処理のために、前記映像データを複数のサーブフィールドに再構成し、１つ以上のスキャンラインに該当するコントロールデータを直列転送するデータ整列部と、前記データ整列部から前記１つ以上のスキャンラインに該当するコントロールデータの直列転送を受け、前記コントロールデータに該当するアドレスパルスをＸ電極に印加するＸ電極駆動部と、アドレッシングのためのスキャンパルスと放電維持のためのサステインパルスとをＹ電極に印加するＹ電極駆動部と、放電維持のためのサステインパルスをＺ電極に印加するＺ電極駆動部と、前記外部映像信号によって前記データ整列部に再構成された映像データを順次読み出し、前記Ｘ電極駆動部に１つ以上のスキャンラインに該当するコントロールデータが転送されるように制御するメイン制御部と、を含むことを特徴とする。
【００２５】
本発明の実施形態に係るプラズマディスプレイパネルの駆動装置において、前記データ整列部は、前記１つ以上のスキャンラインに該当するコントロールデータを一時格納するための統合臨時格納部を含み、前記Ｘ電極駆動部は、前記統合臨時格納部に格納された前記１つ以上のスキャンラインに該当するコントロールデータの直列転送を受ける複数のデータＩＣを含むことを特徴とする。
【００２６】
本発明の実施形態に係るプラズマディスプレイパネルの駆動装置において、前記統合臨時格納部は、前記１つ以上のスキャンラインに該当するコントロールデータに該当する格納容量以上を持つことを特徴とする。
【００２７】
本発明の実施形態に係るプラズマディスプレイパネルの駆動装置において、前記データ整列部の出力端は、前記複数のデータＩＣのうちいずれか一つを選択するための選択信号を出力するピンと、前記統合臨時格納部に格納された映像データを直列転送するためのピンと、を含むことを特徴とする。
【００２８】
本発明の実施形態に係るプラズマディスプレイパネルの駆動装置において、前記データ整列部と前記Ｘ電極駆動部との間の転送媒体は光ファイバであることを特徴とする。
【発明の効果】
【００２９】
本発明に係るデータ整列部は、映像データをデータＩＣに直列転送することにより、データ整列部の出力端のピン数と統合臨時格納部の格納容量とを最小化する。
【発明を実施するための最良の形態】
【００３０】
以下、本発明の実施形態を添付図を参照して詳しく説明する。
【００３１】
図５は、本発明に係るデータ整列部とＸ電極駆動部との関係を示す図である。図５に示すように、本発明のデータ整列部２２０は、Ｘ電極駆動部２３０に含まれたデータＩＣ３１０に１つ以上のスキャンラインに該当するコントロールデータを直列に転送する統合臨時格納部４１０を含む。
【００３２】
すなわち、統合臨時格納部４１０は、コントロールデータをデータＩＣ３１０に並列に転送した従来とは異なって直列に転送するが、この時、統合臨時格納部４１０に格納されるコントロールデータは１つ以上のスキャンラインに該当するコントロールデータである。
【００３３】
図５に示した統合臨時格納部４１０は、１つのスキャンラインに該当する６ｂｉｔのコントロールデータを臨時格納するもので、メイン制御部２６０の書き込み制御信号および読み出し制御信号により、１つのスキャンラインに該当するコントロールデータを６ピンのデータＩＣ３１０の入力端に直列転送する。
【００３４】
このような統合臨時格納部４１０は、１つのスキャンラインに該当するコントロールデータを臨時格納することもでき、１つ以上のスキャンラインに該当するコントロールデータを臨時格納することもできる。
【００３５】
もし、統合臨時格納部４１０が２つのスキャンラインに該当するコントロールデータを臨時格納するならば、統合臨時格納部４１０は、メイン制御部２６０の制御によって格納された一番目のコントロールデータをｍ番目のデータＩＣに直列に転送し、二番目のコントロールデータをｍ＋１番目のデータＩＣに直列に転送する。
【００３６】
すなわち、データＩＣ３１０をｎ／２個のグループに分け、統合臨時格納部４１０が２つのスキャンラインに該当するコントロールデータを臨時格納するならば、統合臨時格納部４１０は、格納された一番目のコントロールデータを所定番目のグループの一番目のデータＩＣ３１０に直列転送し、二番目のコントロールデータを前記所定番目のグループのの二番目のデータＩＣ３１０に直列転送する。
【００３７】
この時、統合臨時格納部４１０の格納容量は２つのコントロールデータの量に該当する格納容量である。
【００３８】
このように、並列に転送する従来の発明は、すべてのスキャンラインに該当するコントロールデータに該当する格納容量を有する必要があるのに対して、本発明の統合臨時格納部４１０は、１つ以上のスキャンラインに該当するコントロールデータをデータＩＣ３１０に直列転送するので、臨時格納される１つ以上のスキャンラインに該当するコントロールデータのための格納容量を有するだけで十分である。
【００３９】
例えば、統合臨時格納部４１０が１つのスキャンラインに該当するコントロールデータを格納するならば、６ｂｉｔの格納容量だけで十分であり、ｐ個のスキャンラインに該当するコントロールデータを格納するならば、（６×ｐ）ｂｉｔの格納容量で十分である。
【００４０】
この時、統合臨時格納部４１０の出力端のピン数は２個であり、そのうち一つのピンは、統合臨時格納部４１０に格納された映像データが入力される特定データＩＣ３１０を選択するための信号を出力するためのピンであり、残り一つのピンは、統合臨時格納部４１０に格納された映像データがデータＩＣ３１０に転送されるためのピンである。
【００４１】
以上のように本発明の統合臨時格納部４１０が映像データを複数のデータＩＣ３１０に順次に直列転送するとき、その転送媒体、すなわち統合臨時格納部４１０と複数のデータＩＣ３１０とを連結する転送媒体を光ファイバで具現する場合、高速の転送速度を実現するのみならず、ノイズを画期的に減らすことができる。
【００４２】
このように従来のデータ整列部２２０は、映像データをデータＩＣ３１０に並列に転送するので、データ整列部２２０の出力端のピン数が多くなり、第１臨時格納部２２１の格納容量が大きくなるという問題点があったが、本発明のデータ整列部２２０は、映像データをデータＩＣ４１０に直列に転送するので、データ整列部２２０の出力端のピン数と統合臨時格納部４１０の格納容量とが最小化される。
【図面の簡単な説明】
【００４３】
【図１】一般的な交流面放電型プラズマディスプレイパネルの構造図である。
【図２】一般的なプラズマディスプレイパネルの駆動装置のブロック構成図である。
【図３】従来のデータ整列部とＸ電極駆動部との関係を示す図である。
【図４】Ｘ電極駆動部のデータＩＣを駆動するための波形を示す図である。
【図５】本発明に係るデータ整列部とＸ電極駆動部との関係を示す図である。
【図１】
2005157380.tif 000003
【図２】
2005157380.tif 000004
【図３】
2005157380.tif 000005
【図４】
2005157380.tif 000006
【図５】
2005157380.tif 000007